(57)【要約】【課題】消費電力の増大を抑えつつ、折畳み型携帯電話機が開状態となったときに、サーバから取得した広告等の情報を待受け画面として直ちに表示することができるようにする。【解決手段】携帯電話機が閉状態となったことを検知する閉状態検知手段３１と、閉状態となったことが検知されたときに情報の配信をサーバに対して要求することによりサーバから情報を取得する情報取得手段３２と、携帯電話機が開状態となったことを検知する開状態検知手段３３と、開状態となったことが検知された場合にサーバから取得済みの情報を待受け画面として表示する表示手段３５とを備え、携帯電話機が閉状態となったときに１回の通信によってサーバから情報を取得して、その後に携帯電話機が開状態となった場合に、既に取得済みの情報を待受け画面として直ちに表示することができるようにする。【選択図】        図１
2009225000.tif 000002
【特許請求の範囲】
【請求項１】
情報を配信するサーバにインターネットを介して接続可能な折畳み型携帯電話機に導入されるコンピュータ読み取り可能なプログラムであって、
上記折畳み型携帯電話機が閉状態となったことを検知する閉状態検知手段、
上記閉状態検知手段により上記閉状態となったことが検知されたときに、上記情報の配信を上記サーバに対して要求することにより、上記サーバから上記情報を取得して情報記憶部に記憶する情報取得手段、
上記折畳み型携帯電話機が開状態となったことを検知する開状態検知手段、および
上記開状態検知手段により上記開状態となったことが検知された場合に、上記情報記憶部に記憶されている上記情報を待受け画面として表示する表示手段、
としてコンピュータを機能させるための、折畳み型携帯電話機への情報配信制御用のプログラム。
【請求項２】
上記情報取得手段は、上記閉状態検知手段により上記閉状態となったことが検知されたときに１回のみ、上記情報の配信を上記サーバに対して要求することを特徴とする請求項１に記載の折畳み型携帯電話機への情報配信制御用のプログラム。
【請求項３】
上記情報取得手段により取得され上記情報記憶部に記憶された上記情報を用いて、上記待受け画面を生成して画面記憶部に記憶する待受け画面生成手段を更に備え、
上記表示手段は、上記開状態検知手段により上記開状態となったことが検知された場合に、上記待受け画面生成手段により生成され上記画面記憶部に記憶されている上記待受け画面を表示することを特徴とする請求項１に記載の折畳み型携帯電話機への情報配信制御用のプログラム。
【発明の詳細な説明】
【技術分野】
【０００１】
本発明は、折畳み型携帯電話機への情報配信制御用のプログラムに関するものである。
【背景技術】
【０００２】
現在市販されている携帯電話機の殆どは、通話機能のみならず、情報端末としての機能も有している。具体的には、携帯電話機は、インターネットに接続して情報サイトを閲覧する機能や、電子メールを送受信したりする機能などを備え、様々な情報の授受ができるようになっている。また、携帯電話機からサーバに広告データの配信を要求し、その応答として受信した広告データを待受け画面として表示させる技術も提案されている（例えば、特許文献１参照）。
【特許文献１】特開２００４−１４７３１４号公報
【発明の開示】
【発明が解決しようとする課題】
【０００３】
しかしながら、上記特許文献１に記載の技術では、折畳み型の携帯電話機が開状態となったときにサーバとの通信を開始して広告データを取得するようになっている。このため、携帯電話機を開いてから広告データを受信して待受け画面として表示するまでに、所要の時間が必要となる。それ故に、携帯電話機が開状態となったときに広告データを直ちに待受け画面として表示することができないという問題があった。
【０００４】
これに対して、上記特許文献１には、所定の時間間隔毎に携帯電話機から広告データの配信をサーバに要求する方法も開示されている。このようにすれば、折畳み型携帯電話機の開閉状態にかかわらず広告データを取得できるので、当該折畳み型携帯電話機が開状態となった場合に、閉状態の間に取得済みの広告データを直ちに表示することができる。
【０００５】
しかしながら、この方法では、携帯電話機が閉状態の間に、広告データ取得のための通信が何度も行われることになる。それにもかかわらず、携帯電話機が開状態となったときに待受け画面に表示されるのは、最後の通信で取得した広告データであり、それ以前の通信で取得した広告データは表示されない。つまり、携帯電話機が閉状態の間に不要な通信が何回も行われている。そのため、携帯電話機の消費電力量が無駄に増大するという問題があった。
【０００６】
本発明は、このような問題を解決するために成されたものであり、消費電力の増大を抑えつつ、折畳み型携帯電話機が開状態となったときに、サーバから取得した広告等の情報を待受け画面として直ちに表示することができるようにすることを目的とする。
【課題を解決するための手段】
【０００７】
上記した課題を解決するために、本発明では、折畳み型携帯電話機が閉状態となったときに情報の配信をサーバに対して要求することにより、サーバから情報を取得する。その後、折畳み型携帯電話機が開状態となったときに、取得済みの情報を待受け画面として表示するようにする。
【発明の効果】
【０００８】
上記のように構成した本発明によれば、折畳み型携帯電話機が閉状態のときにサーバから情報を取得できるので、当該折畳み型携帯電話機が開状態となった場合に、閉状態のときに取得済みの情報を待受け画面として直ちに表示することができる。しかも、携帯電話機とサーバとの通信は折畳み型携帯電話機が閉状態となったときに行われ、閉状態の間に何回も行われることがないので、消費電力量の増大を抑えることができる。
【発明を実施するための最良の形態】
【０００９】
以下、本発明の一実施形態を図面に基づいて説明する。図１は、本発明による折畳み型携帯電話機への情報配信制御用のプログラムを実装した折畳み型携帯電話機１（以下、携帯電話機１と称す）およびサーバ２を備えた情報配信システム１００の全体構成例を示す図である。
【００１０】
図１に示すように、情報配信システム１００は、携帯電話機１およびサーバ２を備えて構成される。携帯電話機１とサーバ２との間は、インターネット３および携帯電話網４を介して接続される。サーバ２は、広告等の情報を配信するものである。携帯電話機１は、インターネット接続可能であって、サーバ２から携帯電話機１への情報配信を制御するプログラムとして、Ｊａｖａ（登録商標）アプレットの組み込みとその実行が可能なものである。
【００１１】
図２は、本実施形態による携帯電話機１の機能構成例を示すブロック図である。図２に示すように、本実施形態の携帯電話機１は、通信部１０、記憶部２０、処理部３０および表示部４０を備えて構成される。
通信部１０は、携帯電話網４を介してインターネット３と接続するためのインタフェース回路であり、周知の回路を用いて構成することができる。
【００１２】
記憶部２０は、各種の情報を記憶する記録媒体であり、例えばＥＥＰＲＯＭにより構成される。記憶部２０は、例えばサーバ２からダウンロードされるＪａｖａアプレットである情報配信制御用プログラムを記憶するプログラム記憶部２１と、サーバ２からダウンロードされる広告等の情報を記憶する情報記憶部２２と、当該情報記憶部２２に記憶された情報を用いて処理部３０により生成される待受け画面を記憶する画面記憶部２３とを備えている。
【００１３】
表示部４０は、画面記憶部２３に記憶された待受け画面を表示するディスプレイであり、例えばＬＣＤ（Liquid Crystal Display）により構成される。
【００１４】
処理部３０は、プログラム記憶部２１に記憶された情報配信制御用プログラムを読み込み、当該情報配信制御用プログラムに従って以下に述べる各種制御を実行する。処理部３０は、情報配信制御用プログラムに従って実行する各種制御の機能構成として、閉状態検知手段３１、情報取得手段３２、画面生成手段３３、開状態検知手段３４および表示手段３５を備えている。
【００１５】
閉状態検知手段３１は、携帯電話機１が閉状態となったことを検知する。閉状態検知手段３１は、携帯電話機１が閉状態となったと判断した場合、その旨を情報取得手段３２に通知する。
【００１６】
情報取得手段３２は、携帯電話機１が閉状態となった旨の通知を閉状態検知手段３１から受けたときに、情報の配信をサーバ２に対して要求する。ここで、情報取得手段３２は、閉状態検知手段３１により携帯電話機１の閉状態が検知されたときに１回のみ（通信エラーによる再要求は除く）、情報の配信をサーバ２に対して要求する。これにより情報取得手段３２は、サーバ２から広告等の情報を取得して、これを情報記憶部２２に記憶する。
【００１７】
画面生成手段３３は、情報取得手段３２によりサーバ２から取得され情報記憶部２２に記憶された情報を用いて、待受け画面を生成して画面記憶部２３に記憶する。ここで、画面生成手段３３は、情報取得手段３２によりサーバ２から取得された情報が情報記憶部２２に記憶された時点で直ちに、待受け画面を生成して画面記憶部２３に記憶する。
【００１８】
開状態検知手段３４は、携帯電話機１が開状態となったことを検知する。開状態検知手段３４は、携帯電話機１が開状態となったと判断した場合、その旨を表示手段３５に通知する。表示手段３５は、携帯電話機１が開状態となった旨の通知を開状態検知手段３４から受けたときに、画面記憶部２３に既に記憶されている待受け画面を表示部４０に表示する。
【００１９】
次に、上記のように構成した情報配信システム１００の動作を説明する。図３は、情報配信システム１００の動作例を示すフローチャートである。まず、携帯電話機１において、閉状態検知手段３１は、携帯電話機１が閉状態となったか否かを判定する（ステップＳ１）。ここで、閉状態になっていないと判断された場合は、ステップＳ１の判定を繰り返す。一方、携帯電話機１が閉状態になったと判断した場合、閉状態検知手段３１は、その旨を情報取得手段３２に通知する。
【００２０】
この通知を受けて情報取得手段３２は、広告等の情報の配信をサーバ２に対して要求する（ステップＳ２）。このとき情報取得手段３２は、例えば記憶部２０の図示しないユーザ情報記憶部に記憶されているユーザ情報（携帯電話機１の使用者であるユーザのプロファイルを特定する情報等）をサーバ２に送信する。ユーザ情報は、例えば、ユーザが携帯電話機１の操作ボタンを操作してあらかじめ入力しておく。
【００２１】
サーバ２は、携帯電話機１から情報配信の要求を受信した場合、その要求と共に送られてきたユーザ情報を用いてユーザ認証を行う（ステップＳ３）。ユーザ認証に成功したら、サーバ２は、ユーザ情報に基づいて、携帯電話機１に配信すべき情報の選択を行う（ステップＳ４）。例えば、ユーザ情報の中に含まれる性別や年齢、趣味、興味分野などの属性情報に基づいて、その属性にマッチする配信情報を選択する。そのためにサーバ２は、属性情報とそれに応じて配信すべき情報とを対応付けたテーブル等を有している。サーバ２は、こうして選択した情報を携帯電話機１に配信する（ステップＳ５）。
【００２２】
携帯電話機１の情報取得手段３２は、サーバ２から送られてきた広告等の情報を取得して、これを情報記憶部２２に記憶する（ステップＳ６）。続いて、画面生成手段３３は、情報記憶部２２に記憶された情報を用いて、待受け画面を生成して画面記憶部２３に記憶する（ステップＳ７）。
【００２３】
その後、開状態検知手段３４は、携帯電話機１が開状態となったか否かを判定する（ステップＳ８）。ここで、開状態になっていないと判断された場合は、ステップＳ８の判定を繰り返す。一方、携帯電話機１が開状態となったと判断した場合、開状態検知手段３４は、その旨を表示手段３５に通知する。この通知を受けた表示手段３５は、画面記憶部２３に既に記憶されている待受け画面を表示部４０に表示する（ステップＳ９）。
【００２４】
以上詳しく説明したように、本実施形態では、携帯電話機１が閉状態となったときに情報の配信をサーバ２に対して要求することにより、サーバ２から情報を取得する。その後、型携帯電話機１が開状態となったときに、取得済みの情報を待受け画面として表示するようにしている。これにより、携帯電話機１が閉状態のときにサーバ２から情報を取得できるので、携帯電話機１が開状態となった場合に、閉状態のときに取得済みの情報を待受け画面として直ちに表示することができる。しかも、携帯電話機１とサーバ２との間の通信は携帯電話機１が閉状態となったときに１回のみ行われ、閉状態の間に何回も行われることがないので、携帯電話機１の消費電力量の増大を抑えることができる。
【００２５】
なお、上記実施形態では、情報取得手段３２がサーバ２から情報を取得した時点で直ちに画面生成手段３３が待受け画面を生成する例について説明したが、これに限定されない。例えば、開状態検知手段３４が携帯電話機１の開状態を検知した時点で、情報記憶部２２に記憶されている情報を用いて画面生成手段３３が待受け画面を生成し、それに続けて表示手段３５が待受け画面を表示部４０に表示するようにしても良い。
【００２６】
ただし、携帯電話機１が開状態となる前にあらかじめ待受け画面を生成しておけば、携帯電話機１が開状態となる前にあらかじめサーバ２から情報を取得しておくだけよりも更に、携帯電話機１が開状態となってから広告等の情報が待受け画面として表示部４０に表示されるまでの応答時間を短くすることができる点で好ましい。
【００２７】
また、上記実施形態では、携帯電話機１が閉状態の間に待受け画面の生成まで行い、携帯電話機１が開状態となったときに待受け画面をＬＣＤ等の表示部４０に表示する処理を行う例について説明したが、閉状態の間に待受け画面の表示処理まで行うようにしても良い（ただし、閉状態の間はＬＣＤのバックライトは点灯しておらず、また、閉状態であるから表示内容を外から見ることはできない）。このようにすれば、携帯電話機１が開状態になったときはバックライトを点灯するだけで良く、待受け画面の表示処理も行う必要がないから、携帯電話機１が開状態となってから広告等の情報が待受け画面として表示部４０に表示されるまでの応答時間を更に短くすることができる。
【００２８】
また、上記実施形態において、サーバ２が有するテーブルにおいて１つの属性情報に対して複数種類の配信情報を対応付けておき、携帯電話機１が閉状態となって情報の配信要求がサーバ２に送られてくる度に、サーバ２がその都度違う配信情報を選択するようにしても良い。このようにすれば、同じ属性情報を有する１つの携帯電話機１でも、閉状態となる度に異なる情報をサーバ２から取得することができる。これにより、携帯電話機１が開状態となる度に異なる情報を待受け画面として表示することができる。
【００２９】
また、上記実施形態では、情報配信制御用プログラムをサーバ２からダウンロードしてプログラム記憶部２１に記憶する例について説明したが、これに限定されない。例えば、サーバ２とは異なるダウンロード専用のサーバ（図示せず）から情報配信制御用プログラムをダウンロードするようにしても良い。または、サーバからのダウンロードによって取得する形態ではなく、情報配信制御用プログラムをプログラム記憶部２１にあらかじめ記憶しておくようにしても良い。
【００３０】
その他、上記実施形態は、何れも本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【図面の簡単な説明】
【００３１】
【図１】本実施形態による情報配信システムの全体構成例を示す図である。
【図２】本実施形態による携帯電話機の機能構成例を示すブロック図である。
【図３】本実施形態による情報配信システムの動作例を示すフローチャートである。
【符号の説明】
【００３２】
１  折畳み型携帯電話機
２  サーバ
２１  プログラム記憶部
２２  情報記憶部
２３  画面記憶部
３１  閉状態検知手段
３２  情報取得手段
３３  画面生成手段
３４  開状態検知手段
３５  表示手段
【図１】
2009225000.tif 000003
【図２】
2009225000.tif 000004
【図３】
2009225000.tif 000005